(57)【特許請求の範囲】
【請求項１】
軸本体後端部に配設されたノック体の後端部を軸方向前方に押圧することにより内容物を繰り出すことが可能な容器であって、ノック体の後端部の押圧による力を回転の力に変換する機構部を有し、前記変換された回転の力によりネジ棒が前進することによって内容物を繰出す構造のノック式繰出容器において、
前記ノック体は、前記ノック体前端面に鋸歯状の凹凸 が形成されたカム面を具備し、前記ノック体の後端部の押圧に応じて軸方向に摺動可能に、かつ、回転方向への移動を規制して軸本体に設けたものであり、
前記ノック体の後端部の押圧による力を回転の力に変換する機構部は、前記ノック体のカム面と共に、
後方向きに軸方向凹凸が形成された第１のカム面を、前方向きに軸方向凹凸が形成された第２のカム面をそれぞれ具備して軸本体に回転可能に設けられた概略円環状の回転体であって、その第１のカム面が前記ノック体のカム面と対峙するように配設された回転体と、
後方向きに軸方向凹凸が形成されたカム面を具備して全体を概略円筒状に形成し、内径部に前記ネジ棒が螺合するためのネジ部を形成して前記回転体の第２のカム面と対峙するように軸本体に固定されたネジ体と、
前記ノック体と前記回転体の間に敷設され、前記回転体の第２のカム面を常時前記ネジ体のカム面に押し付けて、それらカム面同士が噛み合う状態に維持するスプリングとを備え、
前記ノック体のカム面および回転体の第１のカム面の少なくとも一方と、前記回転体の第２のカム面およびネジ体のカム面の少なくとも一方とには、回転体の所定回転方向に対して軸方向の一側に向けて傾斜した第１の斜面と第２の斜面が形成されており、
前記第１の斜面の傾斜角と第２の斜面の傾斜角とが異なる角度であり、
ノック体を押圧して前進させた際に、前記第１の斜面と第２の斜面の傾斜角の差によって回転体の第１のカム面がノック体のカム面に沿って移動し、かつ第２のカム面がネジ体のカム面に沿って移動することにより回転体が所定回転方向に回転することを特徴とするノック式繰出容器。
【請求項２】
前記ノック体のカム面および回転体の第１のカム面の対応する凹凸、並びに、前記回転体の第２のカム面およびネジ体のカム面の対応する凹凸は、同一又は偶数倍のピッチ で形成され、
前記回転体の第２のカム面が前記ネジ体のカム面に噛み合わされた状態において、前記回転体の第１のカム面と前記ノック体のカム面同士は互いのカムの凹凸が回転方向に位相がずれた関係に設定され、
それと共に、前記ノック体のカム面が前記回転体の第１のカム面に噛み合わされた状態において、前記回転体の第２のカム面と前記ネジ体のカム面同士は互いのカムの凹凸が回転方向に位相がずれた状態で設定されており、
それらの位相のずれは、いずれかのカム同士が噛み合った時、第１のカム面頂点と第２のカム面頂点とが軸方向と平行な同一直線上に位置しない範囲であることを特徴とする請求項１に記載のノック式繰出容器。 
【請求項３】
前記ノック体のカム面に前記回転体の第１のカム面が噛み合った時に、前記回転体の第２のカム面が前記ネジ体のカム面上を滑りながら回転し、第２のカム面はその頂点が前記ネジ体のカム面の頂点を越えたところで保持されることを特徴とする請求項１または２に記載のノック式繰出容器。
【請求項４】
前記ノック体のカム面は、所定回転方向に対して前方向に切り立った壁面から前端の頂点を経由して後方向への傾斜面から１ピッチが形成され、
回転体の第１のカム面は、所定回転方向に対して後方向への傾斜面および後端の頂点から後方向に切り立った壁面から１ピッチが形成され、
回転体の第２のカム面は、所定回転方向に対して前方向に切り立った壁面から前端の頂点を経由して後方向への傾斜面から１ピッチが形成され、
ネジ体のカム面は、所定回転方向に対して後方向への傾斜面および後端の頂点から前方向への傾斜面から１ピッチが形成されており、
前記回転体と前記ノック体の間に敷設されたスプリングを前記ノック体の押圧により圧縮しながら前記ノック体を前進させ、これによって、前記ノック体のカム面の傾斜面に前記回転体の第１のカム面を滑らせると共に、前記回転体の第２のカム面を前記ネジ体のカム面に滑らせて、前記回転体が、その回転体と前記ノック体の間に敷設されたスプリングに反発しつつ後方に向かいながら回転して行き、この回転で前記回転体の第２のカム面の前端の頂点が前記ネジ体のカム面の後端の頂点を乗り越えて前方向への傾斜面途上に位置し、かつ、前記ノック体のカム面の壁部に前記回転体の第１のカム面の壁部が当接してそれ以上の回転が規制されるようにすることによって、ノック解除時まで前記回転体の第２のカム面は前記ネジ体のカム面上で保持されるようにしたことを特徴とする請求項３に記載のノック式繰出容器。
【請求項５】
回転体は、内径部に異形孔を形成し、ネジ棒は、該回転体の異形孔に対応する断面形状を有しかつ切り欠き部以外の外径部に雄ネジを有しており、
ネジ棒を回転体の異形孔に挿入状態にすることによりネジ棒を回転体に対して一体的に回転しかつ軸線方向には相対移動可能な状態にし、さらに、ネジ棒外径部の雄ネジをネジ体の内径部の雌ネジに螺合し、
ネジ棒先端部に、軸本体内の内容物を押し出すための、軸本体内部に摺動可能で、かつ、ネジ棒と相対回転可能に配設されたピストンを装着した構成を特徴とする請求項１から４のうちの１項に記載のノック式繰出容器。
【発明の詳細な説明】
【技術分野】
【０００１】
本発明は液体化粧料などの液体や流動体、その他棒状体等の固体の内容物を軸本体後端のノック体の後端部をノックすることによって繰出すノック式繰出容器に関する。
【背景技術】
【０００２】
従来のノック式繰出容器は、ボールペン同様のカム機構を利用し、ノック体、回転子、内筒にそれぞれカムを設け、ノックすることにより、スプリングによって後方に付勢された状態の回転子を連続的に回転させ、回転子の回転を外径部にネジ部（雄ネジ）を設けたネジ棒に伝える（カーンノック式と称される）。このネジ棒（雄ネジ）は、軸本体に少なくとも回転方向に固定されたネジ体の内径部に設けられたネジ部（雌ネジ）と螺合しているため、ネジ棒の回転によりネジ体に対してネジ棒が前進し、このネジ棒の前進により該ネジ棒先端部に嵌合されたピストンが共に前進し、内容物を繰出すものが知られている（特開２００２−０６８３３２号公報：特許文献１）。
【０００３】
その他、バルブを使用しノックによりバルブを開閉させ、タンク内の圧力差で内容物を吐出するものが知られている（実公平６−４８３７号公報：特許文献２）。
【特許文献１】特開２００２−０６８３３２号公報
【特許文献２】実公平６−４８３７号公報
【発明の開示】
【発明が解決しようとする課題】
【０００４】
前記した従来の方法では構造上部品点数が多くなってしまい、細径化など外観上の制限も出てしまい、組立も複雑でコストＵＰに繋がってしまう。
【０００５】
またバルブタイプの繰出機構では圧力差を使用して内容物を吐出するため定量的な吐出が難しい。
【０００６】
この発明はこれら問題点に着目し、部品点数を抑えた簡単な構成で、ネジの使用による定量吐出が可能なノック式繰出容器を提供することを課題とする。
【課題を解決するための手段】
【０００７】
前記目的を達成するために、本発明のノック式繰出容器は以下の構成を有する。
【０００８】
本発明は、軸本体後端部に配設されたノック体の後端部を軸方向前方に押圧することにより内容物を繰り出すことが可能な容器であって、ノック体の後端部の押圧による力を回転の力に変換する機構部を有し、前記変換された回転の力によりネジ棒が前進することによって内容物を繰出す構造のノック式繰出容器において、
前記ノック体は、前記ノック体前端面に鋸歯状の凹凸 が形成されたカム面を具備し、前記ノック体の後端部の押圧に応じて軸方向に摺動可能に、かつ、回転方向への移動を規制して軸本体に設けたものであり、
前記ノック体の後端部の押圧による力を回転の力に変換する機構部は、前記ノック体のカム面と共に、
後方向きに軸方向凹凸が形成された第１のカム面を、前方向きに軸方向凹凸が形成された第２のカム面をそれぞれ具備して軸本体に回転可能に設けられた概略円環状の回転体であって、その第１のカム面が前記ノック体のカム面と対峙するように配設された回転体と、
後方向きに軸方向凹凸が形成されたカム面を具備して全体を概略円筒状に形成し、内径部に前記ネジ棒が螺合するためのネジ部を形成して前記回転体の第２のカム面と対峙するように軸本体に固定されたネジ体と、
前記ノック体と前記回転体の間に敷設され、前記回転体の第２のカム面を常時前記ネジ体のカム面に押し付けて、それらカム面同士が噛み合う状態に維持するスプリングとを備え、
前記ノック体のカム面および回転体の第１のカム面の少なくとも一方と、前記回転体の第２のカム面およびネジ体のカム面の少なくとも一方とには、回転体の所定回転方向に対して軸方向の一側に向けて傾斜した第１の斜面と第２の斜面が形成されており、
前記第１の斜面の傾斜角と第２の斜面の傾斜角とが異なる角度であり、
ノック体を押圧して前進させた際に、前記第１の斜面と第２の斜面の傾斜角の差によって回転体の第１のカム面がノック体のカム面に沿って移動し、かつ第２のカム面がネジ体のカム面に沿って移動することにより回転体が所定回転方向に回転することを特徴とするノック式繰出容器である。
【０００９】
本発明においては、前記ノック体のカム面および回転体の第１のカム面の対応する凹凸、並びに、前記回転体の第２のカム面およびネジ体のカム面の対応する凹凸は、同一又は偶数倍のピッチで形成され、前記回転体の第２のカム面が前記ネジ体のカム面に噛み合わされた状態において、前記回転体の第１のカム面と前記ノック体のカム面同士は互いのカムの凹凸が回転方向に位相がずれた関係に設定され、それと共に、前記ノック体のカム面が前記回転体の第１のカム面に噛み合わされた状態において、前記回転体の第２のカム面と前記ネジ体のカム面同士は互いのカムの凹凸が回転方向に位相がずれた状態で設定されており、それらの位相のずれは、いずれかのカム同士が噛み合った時、第１のカム面頂点と第２のカム面頂点とが軸方向と平行な同一直線上に位置しない範囲であることが好適である。
【００１０】
また、本発明においては、前記ノック体のカム面に前記回転体の第１のカム面が噛み合った時に、前記回転体の第２のカム面が前記ネジ体のカム面上を滑りながら回転し、第２のカム面はその頂点が前記ネジ体のカム面の頂点を越えたところで保持されることが好適である。
【００１１】
本発明においては、前記ノック体のカム面は、所定回転方向に対して前方向に切り立った壁面から前端の頂点を経由して後方向への傾斜面から１ピッチが形成され、回転体の第１のカム面は、所定回転方向に対して後方向への傾斜面および後端の頂点から後方向に切り立った壁面から１ピッチが形成され、回転体の第２のカム面は、所定回転方向に対して前方向に切り立った壁面から前端の頂点を経由して後方向への傾斜面から１ピッチが形成され、ネジ体のカム面は、所定回転方向に対して後方向への傾斜面および後端の頂点から前方向への傾斜面から１ピッチが形成されており、前記回転体と前記ノック体の間に敷設されたスプリングを前記ノック体の押圧により圧縮しながら前記ノック体を前進させ、これによって、前記ノック体のカム面の傾斜面に前記回転体の第１のカム面を滑らせると共に、前記回転体の第２のカム面を前記ネジ体のカム面に滑らせて、前記回転体が、その回転体と前記ノック体の間に敷設されたスプリングに反発しつつ後方に向かいながら回転して行き、この回転で前記回転体の第２のカム面の前端の頂点が前記ネジ体のカム面の後端の頂点を乗り越えて前方向への傾斜面途上に位置し、かつ、前記ノック体のカム面の壁部に前記回転体の第１のカム面の壁部が当接してそれ以上の回転が規制されるようにすることによって、ノック解除時まで前記回転体の第２のカム面は前記ネジ体のカム面上で保持されるようにしたことが好適である。
【００１２】
また、本発明においては、回転体は、内径部に異形孔を形成し、ネジ棒は、該回転体の異形孔に対応する断面形状を有しかつ切り欠き部以外の外径部に雄ネジを有しており、ネジ棒を回転体の異形孔に挿入状態にすることによりネジ棒を回転体に対して一体的に回転しかつ軸線方向には相対移動可能な状態にし、さらに、ネジ棒外径部の雄ネジをネジ体の内径部の雌ネジに螺合し、ネジ棒先端部に、軸本体内の内容物を押し出すための、軸本体内部に摺動可能で、かつ、ネジ棒と相対回転可能に配設されたピストンを装着した構成とすることが好適である。
【発明の効果】
【００１３】
本発明のノック式繰出容器によれば、ノック体の後端部を押圧した際のノック体の前後動作により回転体を回転させて内容物を繰出す構造が具備された点を特徴とし、前記ノック体のカム面および回転体の第１のカム面の少なくとも一方と、前記回転体の第２のカム面およびネジ体のカム面の少なくとも一方とには、回転体の所定回転方向に対して軸方向の一側に向けて傾斜した第１の斜面と第２の斜面が形成し、前記第１の斜面の傾斜角と第２の斜面の傾斜角とが異なる角度として、ノック体を押圧して前進させた際に、前記第１の斜面と第２の斜面の傾斜角の差によってノック体のカム面が第１のカム面上に沿って移動し、かつ第２のカム面がネジ体のカム面に沿って移動するようにした。これにより、本発明のノック式繰出容器では、ノック体の前後運動を回転体の回転運動に変換し、その後、押圧の解除によりノック体はそのカム面が第１のカム面から離れて後退し、かつ、スプリングの付勢力でネジ体のカム面と回転体の第２のカム面同士が噛み合う。
【００１４】
よって、ノック体、回転体、ネジ体、およびスプリングという少ない構成によって、ノック体の後端部に対する押圧の印加と解除を繰り返すことにより、回転体はカムの一歯（頂点を挟んだ斜面や壁部同士とすることができる）に対応する回転運動を受け、ネジ棒を順次回転駆動してネジ送りし、これによって内容物を定量的に繰出すことを可能とする機構を、部品点数を従来よりも大幅に削減した構成で実現できる。
【００１５】
なお、前記ノック体のカム面および回転体の第１のカム面の対応する凹凸、並びに、前記回転体の第２のカム面およびネジ体のカム面の対応する凹凸は、同一又は偶数倍のピッチで形成し、前記回転体の第２のカム面が前記ネジ体のカム面に噛み合わされた状態において、前記回転体の第１のカム面と前記ノック体のカム面同士は互いのカムの凹凸が回転方向に位相がずれた関係に設定し、それと共に、前記ノック体のカム面が前記回転体の第１のカム面に噛み合わされた状態において、前記回転体の第２のカム面と前記ネジ体のカム面同士は互いのカムの凹凸が回転方向に位相がずれた状態で設定し、それらの位相のずれは、いずれかのカム同士が噛み合った時、第１のカム面頂点と第２のカム面頂点とが軸方向と平行な同一直線上に位置しない範囲とすれば、押圧したときにノック体のカム面が回転体の第１のカム面の斜面に当って（同時に第２のカム面がネジ体のカム面に当たっている状態で）回転して位相のずれた状態で停止する。その後、押圧を解除したときに回転体は位相のずれた状態からスプリングの力によって第２のカム面がネジ体のカム面に同位相になるまで回転する。
【００１６】
これにより、第１のカム面がノック体のカム面と位相のずれた状態になるので、再度、押圧ノックすれば上記の押圧時以降の行程を、再び繰り返し行うことができる。すなわち、押圧およびその解除によって繰り返しノック操作を可能にする。
【発明を実施するための最良の形態】
【００１７】
この発明に係るノック式繰出機構を図に示す実施形態に基づいて説明する。
【００１８】
図１〜図１１は、実施形態に係るノック式繰出容器の説明図である。
すなわち、図１〜図４は実施形態に係るノック式繰出容器の全体の断面表示及び機構部の拡大図を示し、図１はノック体の後端部押圧前の状態で、図２から図４も同様の断面図で各動作の過程を示している。
【００１９】
図５（ａ）〜（ｆ）は上記繰出容器のノック機構の説明図、図６（ａ）、（ｂ）は軸本体の斜視図、縦断面図、図７（ａ）、（ｂ）、（ｃ）、（ｄ）はピストンの前方視斜視図、後方視斜視図、側面図、縦断面図、図８（ａ）、（ｂ）、（ｃ）、（ｄ）はネジ体の前方視斜視図、後方視斜視図、側面図、縦断面図、図９（ａ）、（ｂ）、（ｃ）、（ｄ）、（ｅ）は回転体の前方視斜視図、後方視斜視図、側面図、縦断面図、前方視図、図１０（ａ）、（ｂ）、（ｃ）、（ｄ）はノック体の前方視斜視図、後方視斜視図、側面図、縦断面図、図１１は（ａ）、（ｂ）はネジ棒の側面図、Ａ−Ａ線断面図である。
【００２０】
実施形態に係るノック式繰出容器は、軸本体１０後端部に配設されたノック体の後端部１２を軸方向前方に押圧することにより内容物を繰り出すことが可能な容器であって、ノック体の後端部１２の押圧による力を回転の力に変換する機構部Ａを有し、前記変換された回転の力によりネジ棒２８が前進することによって軸本体１０内の内容物を繰出す構造のものである。
【００２１】
軸本体１０前端部１０ａには、継手１４、パイプ継手１６、パイプ１８、先軸２０、穂首２２が取り付けられ、軸本体１０内の内容物収容部２４から繰出された内容物はパイプ１８を通り穂首２２先端に吐出される。また、使用後にキャップ２６を装着できるよう形成されている。
【００２２】
具体的には、軸本体１０は図１に示すように、軸方向に見て前端部１０ａが段状に小径になっていて、前端部１０ａ内に筒状の継手１４およびパイプ継手１６が先軸２０後部で覆われた状態で嵌入しており、その先軸２０前部内でパイプ継手１６先方に塗布体として多数の繊維が束ねられ、または、連続気泡体からなる筆先状の穂首２２が挟持されている。
【００２３】
継手１４は先方が拡径した概略筒状を呈して軸本体１０の前端部１０ａに嵌入しており、その継手１４の先方開口内に先方からパイプ継手１６が挿入されこのパイプ継手１６に、収容部２４内から穂首に向けて液体誘導用のパイプ１８が挿入・支持されている。そして穂首２２、先軸２０を覆って、前端部１０ａにキャップ２６を嵌着するようになっている。
【００２４】
前記ノック体の後端部１２の押圧による力を回転の力に変換する機構部Ａは、カム面３０を有するノック体３２と、第１のカム面３４および第２のカム面３６を有する回転体３８と、カム面４０を有するネジ体４４と、スプリング４６を主な構成要素として、軸本体１０内に挿入されている。
【００２５】
〔ノック体３２〕
ノック体３２は、前記ノック体前端面に鋸歯状の凹凸が形成されたカム面３０を具備し、後端部がノック体の後端部１２に一体になっていて、ノック体の後端部１２の軸方向へ押圧に応じて軸方向に摺動可能で、かつ、後端方向および回転方向への移動を規制して軸本体１０に設けたものである。
【００２６】
具体的には、ノック体３２は、図１０に示すように、太径のノック体の後端部１２から段状に細径になって先方に延びる円筒状の挿入部３２ａが形成され、その挿入部３２ａ前端部にカム面３０が形成されている。挿入部３２ａ側面には、突起部３２ｂ、３２ｂが一対形成され、その突起部３２ｂ間には内外を連通するスリット部３２ｃ、３２ｃが一対形成されている。突起部３２ｂ、３２ｂが後記するネジ体４４のスリット４４ｃ、４４ｃ（図１、図８参照）に嵌入して軸方向に一定範囲内で相対移動可能で回転方向に固定する機能を有している。
【００２７】
〔回転体３８〕
回転体３８は、図９に示すように、後端面に後方向きに軸方向凹凸が形成された第１のカム面３４を、前端面に前方向きに軸方向凹凸が形成された第２のカム面３６をそれぞれ具備して軸本体１０に回転可能に設けられた概略円環状の回転体３８であって、その第１のカム面３４が前記ノック体３２のカム面３０と対峙するように配設されている（図１参照）。
【００２８】
回転体３８は、図１、図９に示すように、軸方向後端、前端に第１のカム面３４、第２のカム面３６が形成され、前端内部が段状に細径になり、ネジ棒２８を回転方向に固定して軸方向に移動に移動を可能する概略長円系または小判形状等の異形孔３８ａが形成されている。
【００２９】
なお、前記回転体３８内部には、スプリング４６を装着する際に前端内部の段部３８ｂにスプリング４６前端を当接する。
【００３０】
〔ネジ体４４〕
ネジ体４４は、図１、図８に示すように、前端部内径にネジ棒２８を螺合するためのネジ部４２が形成されそのネジ部４２の後端面に後方に向いて軸方向凹凸が形成されたカム面４０を具備して全体を概略円筒状に形成し、そのカム面４０が前記回転体３８の第２のカム面３６と対峙するように軸本体１０に回転方向に固定されている。
【００３１】
つまり、ネジ体４４は前端部が内側に向けて段状に肉厚になってその内径部にネジ棒２８が螺合するためのネジ部（雌ネジ）４２が形成され、ネジ部４２以後が中空の全体的に概略筒状体である。軸本体１０に対するネジ体４４の軸方向の固定は、軸本体１０後部内周部に形成された環状に凹凸する嵌合部１０ｂがネジ体４４の後部の環状の嵌合突起４４ａに嵌り込むことによって行われ、相対回転方向の固定は、ネジ体４４の前部外周部の軸方向に延びる溝部４４ｂに、軸本体１０内部に軸方向に延在して突出形成されたリブ１０ｃが軸方向動可能に嵌入することによって行われる。ネジ体４４の中央部は中空内部から外部に空く、窓状のスリット４４ｃ、４４ｃが対で形成されている。図１、図８に示すように、このスリット４４ｃ、４４ｃには、スリット４４ｃ、４４ｃよりも軸方向に短い、ノック体３２の突起部３２ｂ、３２ｂが嵌入してノック体３２がネジ体４４に対して軸方向に一定範囲内で相対移動可能かつ回転方向に固定するように嵌入している。
【００３２】
また、軸本体１０内に装着されるネジ体４４には、さらに、図１や、図９、図１０に示すように、回転体３８、スプリング４６およびノック体３２が挿入される。
【００３３】
スプリング４６は、前記ノック体３２と前記回転体３８の間に敷設され、前記回転体３８の第２のカム面３６を常時前記ネジ体４４のカム面４０に押し付ける力を発揮して、それらカム面同士が噛み合う状態に維持するように付勢する。図１０に示すように、ノック体３２の挿入部３２ａの中空内面の途中に段状に縮径する段部３２ｄが形成されている。図９に示すように、回転体３８内の異形孔３８ａの段部３８ｂが形成されている。図１に示すように、これら回転体３８の段部３８ｂ後面とノック体３２の段部３２ｄ前面との間のスプリング４６を介装して、このスプリング４６によって、回転体３８を前方に、ノック体３２を後方に向けてそれぞれ付勢する。
【００３４】
ネジ体４４には、後端開口から回転体３８を挿入して、スプリング４６を挿入して、その後からノック体３２を挿入 して突起部３２ｂ、３２ｂをスリット４４ｃに嵌入して、ノック体３２がネジ体４４に対して一定範囲で進退動しかつ回転方向に固定する構造にしている。
【００３５】
〔ネジ棒２８〕
また、ネジ棒２８先端部に、軸本体１０内の内容物を押し出すための、軸本体１０内部に摺動可能で、かつ、ネジ棒２８と相対回転可能に配設されたピストン４８を装着した構成を有している。
【００３６】
ネジ棒２８は、図１１に示すように、その外周部を一部切り欠いて概略小判形状の異形横断面形状に形成した内部に空洞の無いものである。ネジ棒２８の横断面形状は、前記回転体３８の前端の異形孔３８ａ横断面形状に対応し周面部の一部を切り欠いて形成したものであり、ネジ棒２８を挿通させたときには回転体３８に相対回転方向に固定し、かつ軸方向に相対移動可能に構成したものである。ネジ棒２８の切り欠いた箇所以外の箇所は、円弧に沿っていて外周面に雄ネジ山２８ａが形成されている。
【００３７】
ネジ棒２８を回転体３８の異形孔３８ａに挿入状態にすることによりネジ棒２８を回転体３８に対して一体的に回転しかつ軸線方向には相対移動可能な状態にし、さらに、ネジ棒２８外径部の雄ネジ山２８ａをネジ体４４の内径部の雌ネジのネジ部４２に螺合している。ネジ棒２８先端部には、突起状またはフランジ状の嵌合部２８ｂが形成されている。このネジ棒２８先端部の嵌合部２８ｂに、下記するように軸本体１０内の内容物を押し出すための、軸本体１０内部の収容部２４内壁に摺動可能で、かつ、ネジ棒２８と相対回転可能に配設されたピストン４８を装着した構成としている。
【００３８】
〔ピストン４８〕
軸本体１０内の収容部２４の液状化粧料等内容物をネジ棒２８の繰出し力で繰出すため収容部２４内に前後摺動可能にピストン４８が配設されている。図７に示すように、ピストン４８は、断面Ｈ型の本体４８ａとその本体４８ａから後方に向けてネジ棒２８先端嵌合部２８ｂが内部に嵌合する筒状支持部４８ｂが後方に向けて突出形成されている。筒状支持部４８ｂ内は中央部が内方に突出して細径になっていて（嵌入部４８ｃ）、前記ネジ棒２８先端の嵌合部２８ｂがその嵌入部４８ｃを乗り越えて緊密に嵌合する。これによって、ネジ棒２８に対してピストン４８は相対回転可能に固定される。
【００３９】
〔各カム面〕
ここで、前記ノック体３２のカム面３０、回転体３８の第１のカム面３４および第２のカム面３６、ネジ体４４のカム面４０の構成を説明する。
【００４０】
図５、図８〜図１０に示すように、前記ノック体３２のカム面３０および回転体３８の第１のカム面３４には、回転体３８の所定回転方向（実施形態では図５（ａ）矢印Ｌ方向）に対して後方（軸後方）に向けて傾斜した斜面３０ａおよび３４ａがそれぞれ形成され、それと共に、前記回転体３８の第２のカム面３６およびネジ体４４のカム面４０は、前記所定回転方向に対して後方に向けて傾斜した斜面３６ａおよび４０ａがそれぞれ形成されている、前記斜面３０ａおよび３４ａの傾斜角θ１は、斜面３６ａおよび４０ａの傾斜角θ２よりも大きいもの（θ１＞θ２）言い換えれば急峻に形成されている。
【００４１】
上記の構成においては、ノック体３２を押圧して前進させた際に、ノック体３２のカム面３０が回転体３８の第１のカム面３４に当接し、かつ、回転体３８の第２のカム面３６がネジ体４４のカム面４０に当接した状態でノック体３２を押圧することによって、前記斜面３０ａおよび３４ａの傾斜角θ１と、斜面３６ａおよび４０ａの傾斜角θ２の差（θ１＞θ２）によってノック体３２のカム面３０が第１のカム面３４上を滑り、かつ第２のカム面３６がネジ体４４のカム面４０上を滑りながら回転体３８が所定回転方向に回転するものである。
【００４２】
また、図５に示すように、前記ノック体３２のカム面３０および回転体３８の第１のカム面３４の対応する凹凸、並びに、前記回転体３８の第２のカム面３６およびネジ体４４のカム面の対応する凹凸は、同一又は偶数倍のピッチで形成されている。また、ノック体３２のカム面３０、前記回転体３８の第１のカム面３４および第２のカム面３６、ならびにネジ体４４のカム面は、前記回転体３８の第２のカム面３６が前記ネジ体４４のカム面に噛み合わされた状態において、前記回転体３８の第１のカム面３４と前記ノック体３２のカム面３０同士は互いのカムの凹凸が回転方向に位相がずれた関係に設定されている。それと共に、前記ノック体３２のカム面３０が前記回転体３８の第１のカム面３４に噛み合わされた状態において、前記回転体３８の第２のカム面３６と前記ネジ体４４のカム面同士は互いのカムの凹凸が回転方向に位相がずれた状態で設定されている。そして、それらの位相のずれは、いずれかのカム同士が噛み合った時、第１のカム面頂点と第２のカム面頂点とが軸方向と平行な同一直線上に位置しない範囲である。
【００４３】
また、図５に示されるように、前記ノック体３２のカム面３０に前記回転体３８の第１のカム面３４が噛み合った時に、前記回転体３８の第２のカム面３６が前記ネジ体４４のカム面４０上を滑りながら回転し（（ｂ）〜（ｃ）参照）、第２のカム面３６はその頂点が前記ネジ体４４のカム面４０の頂点を越えたところで保持されるようになっている（（（ｄ）〜（ｅ）参照）。
【００４４】
詳しくは、前記ノック体３２のカム面３０は、所定回転方向に対して前方向（軸先側方向）に切り立った壁面から前端の頂点を経由して後方向への傾斜面３０ａまでで１ピッチが形成されている。
【００４５】
回転体３８の第１のカム面３４は、所定回転方向に対して後方向（軸後側方向）への傾斜面３４ａおよび後端の頂点から後方向に切り立った壁面までで１ピッチが形成されている。
【００４６】
回転体３８の第２のカム面３６は、所定回転方向に対して前方向（軸先側方向）に切り立った壁面から前端の頂点を経由して後方向への傾斜面３６ａまでで１ピッチが形成されている。
【００４７】
ネジ体４４のカム面４０は、所定回転方向に対して後方向（軸後側方向）への傾斜面４０ａおよび後端の頂点から前方向への傾斜面４０ｂまでで１ピッチが形成されている。
【００４８】
前記回転体３８と前記ノック体３２の間に敷設されたスプリング４６を前記ノック体３２の押圧により圧縮しながら前記ノック体３２を前進させ、これによって、前記ノック体３２のカム面３０の傾斜面に前記回転体３８の第１のカム面３４を滑らせると共に、前記回転体３８の第２のカム面３６を前記ネジ体４４のカム面に滑らせて、前記回転体３８が、その回転体３８と前記ノック体３２の間に敷設されたスプリング４６に反発しつつ後方に向かいながら回転して行き、この回転で前記回転体３８の第２のカム面３６の前端の頂点が前記ネジ体４４のカム面の後端の頂点を乗り越えて前方向への傾斜面４０ｂ途上に位置し、かつ、前記ノック体３２のカム面３０の壁部に前記回転体３８の第１のカム面３４の壁部が当接してそれ以上の回転が規制されるようにすることによって、ノック解除時まで前記回転体３８の第２のカム面３６は前記ネジ体４４のカム面上で保持されるようにしている。
【００４９】
以上の構成の実施形態のノック式繰出機構においては、内容物を収容する軸本体１０先端側には継手１４、パイプ継手１６、パイプ１８、先軸２０、穂首２２が取り付けられ、軸本体１０内容物収容部２４から繰出された内容物はパイプ１８を通り穂首２２先端に吐出される。また、使用後にキャップ２６を装着出来るよう形成されている。
【００５０】
上記説明のように、図１に示す実施形態のノック式繰出容器では、軸本体１０の後端部に回転の力に変換する機構部Ａが設けられている。
【００５１】
この変換する機構部Ａは、図７に示すピストン４８、図８に示すネジ体４４、図９に示すカム体、図１０に示すノック体３２からなり、内容物収容部２４を持ち概略円筒形状の軸本体１０に、内径部にネジ部４２を形成し、その後方にカム面４０を形成した概略円筒状のネジ体４４が軸本体１０のリブ１０ｃとネジ体４４の溝部４４ｂにより軸本体１０に対して回転方向に規制され、軸本体１０嵌合部１０ｂとネジ体４４嵌合突起４４ａにより軸線方向にも規制され固定されている。
【００５２】
また、ネジ体４４ネジ部４２には外径部に雄ネジ山２８ａを形成した異形断面を持つネジ棒２８が螺合し、ネジ体４４先端部よりネジ棒２８先端部を突出した状態でネジ棒先端嵌合部２８ｂに軸本体１０内径と摺動可能で内容物を押し出すピストン４８を回転可能に取り付けてある。ネジ体４４内部には回転体３８が回転可能に配設され、回転体３８の第２のカム面３６がネジ体４４カム面４０と対峙する方向になっている。また、回転体３８内部には異形孔３８ａが設けられており、この異形孔３８ａはネジ棒２８を回転方向に規制し、軸線方向には移動可能としている。
【００５３】
この異形孔３８ａにより回転体３８が回転することでネジ棒２８が回転体３８と一体的に回転する。また回転体３８の第１のカム面３４の斜面３４ａの傾斜角θ１が第２のカム面３６の斜面３６ａの傾斜角θ２よりも角度が急になっており、第１のカム面３４と第２のカム面３６の回転に必要な力が異なっている。
【００５４】
さらにスプリング４６が回転体３８内部段部３８ｂに後方より挿入され、ノック体３２がネジ体４４後方よりネジ体４４スリット部４４ｃにノック体３２突起部３２ｂを嵌合させる状態で組み付けられるためノック体３２と回転体３８の間でスプリング４６が付勢された状態となる。ノック体３２はネジ体４４スリット部４４ｃにより後方移動が規制されるため回転体３８はスプリング４６の力により常にネジ体４４に押し付けられた状態となっている。またノック体３２はネジ体スリット部４４ｃにより回転方向にも規制され、ネジ体カム面４０とノック体３２カム面３０は位相がずれた状態で配設される。
【００５５】
続いて動作について説明する。（動作の概略は図５に示す）
（ノック体の後端部１２を押圧しない）初期状態では、ノック体３２突起部３２ｂがネジ体４４スリット部４４ｃ後端面にスプリング４６の力で押し付けられ、同時に回転体３８もネジ体４４に押し付けられている。この時回転体３８第２のカム面３６はネジ体４４カム面４０と噛み合った状態となっている（図１、図５（ａ）参照）。
【００５６】
この状態からノックを始めるとノック体３２がスプリング４６を圧縮しながら前方へ移動する。
【００５７】
更にノックを続けるとノック体３２カム面３０は位相がずれた状態で回転体３８の第１のカム面３４と当接する（図２、図５（ｂ）参照）。
【００５８】
回転体３８の第１のカム面３４にノック体３２のカム面３０が当接した状態から更にノックを続けると、回転体３８はノック体３２カム面３０の斜面３０ａとネジ体４４カム面４０斜面４０ａを滑りながら回転を始める（図３、図５（ｃ）参照）。この時ノック体３２側のカム面３０とネジ体４４側のカム面４０の斜面の角度を変えておくことでノック体３２側での回転力がネジ体４４側での回転力より大きくなるように設定されている。
【００５９】
またこの回転によりネジ棒２８が回転体３８と一体的に回転し、ピストン４８を繰出す事で収容部２４内の内容物の繰出を行う。
【００６０】
更にノックを続けると回転体３８の第２のカム面３６の頂点がネジ体４４カム面４０の頂点を越え、スプリング４６の力によりネジ体４４カム面４０の斜面４０ｂを滑り回転しながら前方へ移動する。このとき回転体３８はネジ体４４カムと位相がずれた状態でノック体３２カムと噛み合う。この状態でも回転体３８は回転するため内容物の繰出は継続している（図３、図５（ｄ）〜（ｆ）参照）。
【００６１】
ノック体３２と回転体３８のカムが噛み合った状態でノック前進限となり、この状態からノックを解除するとノック体３２は後退し初期状態の位置に復帰する（図４、図５（ｅ）〜（ｄ）参照）。回転体３８はスプリング４６により常時ネジ体４４に押さえ付けられているため、回転体３８の第２カム面３６傾斜面３６ａがネジ体４４カム面４０を滑りながら回転し、ネジ体４４カム面４０と噛み合う。このことで回転体３８第１のカム面３４頂点とノック体３２カム面３０頂点の位相がずれた初期状態（図５（ａ））と同様の位置関係に復帰する。
【００６２】
上述のノック動作を繰り返す事で、軸線方向のノック動作が回転の力に変換され、ネジ棒２８を回転させ、ピストン４８を押し出すことで内容物を定量的に繰出す事が最小の部品点数で可能となる。
【００６３】
尚、本発明のノック式繰出容器は、上記した実施の形態に限定されるものではなく、本発明の要旨を逸脱しない範囲内において種々変更を加え得ることは勿論である。
【００６４】
実施形態では、各部品を樹脂成型品とすることが好適であり、軸本体１０がＰＰ、回転体３８がＰＯＭ、ネジ体４４がＡＢＳ、ノック体３２がＰＣを材料とすることが好ましい。
【００６５】
また、実施形態では、ノック体３２のカム面３０と回転体３８の第１のカム面３４の対応する凹凸、回転体３８の第２のカム面３６、ネジ体４４のカム面４０の対応する凹凸は、双方とも同一ピッチで複数の歯を形成していたが本発明はこのような構成に限定されない。すなわち、前記ノック体３２のカム面３０および回転体３８の第１のカム面３４の一方と、前記回転体３８の第２のカム面３６およびネジ体４４のカム面の一方とに、回転体３８の所定回転方向に対して軸方向の一側に向けて傾斜した第１の斜面と第２の斜面を形成して、つまり、対峙するカム面の何れか一方を複数歯で形成し、他方をカム面以外の、容易にカム面に誘導される先端断面円形体やローラー体とすることも本発明の範囲内である。
【図面の簡単な説明】
【００６６】
【図１】（ａ）、（ｂ）は、本発明の実施形態に係るノック式繰出容器の説明図であり、ノック式繰出容器の全体の断面表示及び機構部の拡大図であって、ノック体の後端部押圧前の状態図である。
【図２】（ａ）、（ｂ）は、図１のノック式繰出容器の全体の断面表示及び機構部の拡大図であって、ノック体の後端部押圧途中時の状態図である。
【図３】（ａ）、（ｂ）は、図１のノック式繰出容器の全体の断面表示及び機構部の拡大図であって、ノック体の後端部押圧限の状態図である。
【図４】（ａ）、（ｂ）は、図１のノック式繰出容器の全体の断面表示及び機構部の拡大図であって、ノック体の後端部押圧解除時の状態図である。
【図５】（ａ）〜（ｆ）は上記繰出容器のノック機構の説明図であり、（ａ）はノック前原位置状態、（ｂ）はノック体前進・回転体当接時、（ｃ）はノック体押圧による回転体回転時、（ｄ）はノック体押圧により回転体頂点乗り越え時、（ｅ）は回転体停止時、（ｆ）はノック解除時の各状態の説明図である。
【図６】（ａ）、（ｂ）は軸本体の斜視図、縦断面図である。
【図７】（ａ）、（ｂ）、（ｃ）、（ｄ）はピストンの前方視斜視図、後方視斜視図、側面図、縦断面図である。
【図８】（ａ）、（ｂ）、（ｃ）、（ｄ）はネジ体の前方視斜視図、後方視斜視図、側面図、縦断面図である。
【図９】（ａ）、（ｂ）、（ｃ）、（ｄ）、（ｅ）は回転体の前方視斜視図、後方視斜視図、側面図、縦断面図、前方視図である。
【図１０】（ａ）、（ｂ）、（ｃ）、（ｄ）はノック体の前方視斜視図、後方視斜視図、側面図、縦断面図である。
【図１１】（ａ）、（ｂ）はネジ棒の側面図、Ａ−Ａ線断面図である。
【符号の説明】
【００６７】
１０  軸本体
１０ａ  軸本体の前端部
１０ｂ  軸本体の嵌合部
１０ｃ  軸本体のリブ
１２  ノック体の後端部
１４  継手
１６  パイプ継手
１８  パイプ
２０  先軸
２２  穂首
２４  内容物の収容部
２６  キャップ
２８  ネジ棒
２８ａ  雄ネジ山
２８ｂ  嵌合部
３０  ノック体のカム面
３０ａ  カム面の斜面（傾斜面）
３２  ノック体
３２ａ  挿入部
３２ｂ  突起部
３２ｃ  スリット部
３２ｄ  段部
３４  回転体の第１のカム面
３４ａ  第１のカム面の斜面（傾斜面）
３６  回転体の第２のカム面
３６ａ  第２のカム面の斜面（傾斜面）
３８  回転体
３８ａ  回転体の異形孔
３８ｂ  回転体内部の段部
４０  ネジ体のカム面
４０ａ  ネジ体カム面の後方向への傾斜面（斜面）
４０ｂ  ネジ体カム面の前方向への傾斜面（斜面）
４２  ネジ部
４４  ネジ体
４４ａ  ネジ体の嵌合突起
４４ｂ  ネジ体の溝部
４４ｃ  ネジ体のスリット部
４６  スプリング
４８  ピストン
４８ａ  ピストンの本体
４８ｂ  ピストンの筒状支持部
４８ｃ  ピストンの嵌入部
Ａ  ノック体の後端部の押圧による力を回転の力に変換する機構部
Ｌ  回転方向
θ１  傾斜角
θ２  傾斜角
【図１】
0005173564.tif 000002
【図２】
0005173564.tif 000003
【図３】
0005173564.tif 000004
【図４】
0005173564.tif 000005
【図５】
0005173564.tif 000006
【図６】
0005173564.tif 000007
【図７】
0005173564.tif 000008
【図８】
0005173564.tif 000009
【図９】
0005173564.tif 000010
【図１０】
0005173564.tif 000011
【図１１】
0005173564.tif 000012